(57)【要約】【課題】  着座者が楽器を演奏することを促進して当該演奏を気軽に楽しむことができる椅子を提供すること。【解決手段】  支持体１３を介して所定高さ位置に支持される座部１１及び背もたれ１２と、座部１１の上方における左右両側部にそれぞれ設けられた一対の肘掛け１５，１５と、各肘掛け１５，１５の前方にそれぞれ設けられた一対の楽器１６，１６とを備えて椅子１０が構成されている。楽器１６，１６は、上面に打面１６Ａが形成された打楽器により構成されている。楽器１６は、肘掛け１５の前側に一体に設けられている。座部１１に着座した着座者Ｐが肘掛け１５に肘を乗せたときに、手の近傍や手の平の下側に打面１６Ａが位置するようになっている。【選択図】      図１
2007037623.tif 000002
【特許請求の範囲】
【請求項１】
所定高さに位置する座部と、この座部の側部に配置された肘掛けと、この肘掛け側に一体に設けられた楽器とを備えていることを特徴とする椅子。
【請求項２】
所定高さに位置する座部と、この座部の側部に配置された肘掛けとを有する椅子において、
前記肘掛けの一部若しくは全部は、楽器により構成されていることを特徴とする椅子。
【請求項３】
前記楽器は打楽器により構成され、当該打楽器の打面は、肘掛けの前部若しくは前方位置に配置されていることを特徴とする請求項１又は２記載の椅子。
【請求項４】
前記楽器は打楽器により構成され、当該打楽器の打面は、座部の側方で上下方向に沿う位置に配置されていることを特徴とする請求項１又は２記載の椅子。
【請求項５】
所定高さに位置する座部と、この座部を所定方向に移動可能に支持する支持体と、座部に一体に設けられた楽器とを備え、
前記楽器は、座部の移動を演奏操作として発音可能に設けられていることを特徴とする椅子。
【発明の詳細な説明】
【技術分野】
【０００１】
本発明は、椅子に係り、更に詳しくは、着座しながら気軽に楽器を演奏することができる椅子に関する。
【背景技術】
【０００２】
従来より、音楽を演奏するために種々の楽器が利用されるに至っている。このような楽器は、メロディやリズムを演奏することにより、高揚感や達成感等の精神的に良好な作用を得ることができる。しかも、楽器は、種類毎に個性的で独特な音を発するので、当該音を発したり聞いたりすることにより、リラックスしたり楽しむことも可能となる。
【特許文献１】実開平５−６０３５１号公報
【発明の開示】
【発明が解決しようとする課題】
【０００３】
しかしながら、このような楽器は、十分な演奏技術を会得するために、長期間に亘って多くの練習や経験を重ねる必要がある。このため、楽器の演奏に対して苦手意識が生じる場合が多く、音楽には興味を持ちつつも楽器を演奏しなくなるという不都合を招来する。しかも、一般に、楽器に直接触れる機会が少ないため、楽器に関心をもたせること自体が困難であるという不都合もある。そこで、本発明者は、試行錯誤を重ねつつ鋭意検討を行ったところ、楽器だけでなく椅子に着目し、当該椅子を用いて種々の構成とすることで前記不都合が改善されることを知見した。
【０００４】
ところで、前記特許文献１には、着座することで座部のスイッチが押されてスピーカからメロディ等が発せられる椅子が開示されているが、かかる椅子では、着座しながら楽器のように演奏を行うことができないという不都合がある。
【０００５】
［発明の目的］
本発明は、前述の知見及び不都合に基づいて案出されたものであり、その目的は、着座しながら楽器を演奏することを促進して当該演奏を気軽に楽しむことができる椅子を提供することにある。
【課題を解決するための手段】
【０００６】
前記目的を達成するため、本発明は、所定高さに位置する座部と、この座部の側部に配置された肘掛けと、この肘掛け側に一体に設けられた楽器とを備える、という構成が採用されている。
【０００７】
また、本発明は、所定高さに位置する座部と、この座部の側部に配置された肘掛けとを有する椅子において、
前記肘掛けの一部若しくは全部は、楽器により構成されるようにしてもよい。
【０００８】
本発明において、前記楽器は打楽器により構成され、当該打楽器の打面は、肘掛けの前部若しくは前方位置に配置される、という構成を採ることが好ましい。
【０００９】
また、前記楽器は打楽器により構成され、当該打楽器の打面は、座部の側方で上下方向に沿う位置に配置される、という構成も好ましくは採用される。
【００１０】
更に、本発明は、所定高さに位置する座部と、この座部を所定方向に移動可能に支持する支持体と、座部に一体に設けられた楽器とを備え、
前記楽器は、座部の移動を演奏操作として発音可能に設けられる、という構成も採用される。
【００１１】
なお、本明細書及び特許請求の範囲における方向若しくは位置を示す用語は、椅子を正面視した場合すなわち図１中矢印Ａ方向から見た場合を基準とし、「前」とは、矢印Ａ方向から見た場合の手前側を示す一方、「後」とは、同奥行き側について用いられる。
【発明の効果】
【００１２】
本発明によれば、座部に座って肘掛けに肘を乗せると同時に、手や腕の周りに楽器が位置することとなり、日常生活の中で楽器に直接触れて当該楽器から音を発することができる。これにより、楽器による発音や音楽の演奏を自然に楽しむことができ、楽器の演奏に興味や関心をもつように促すことが可能となる。しかも、楽器により肘掛けを形成した場合、部品点数の削減を図ることができる他、楽器の形状に応じて種々のデザイン性を椅子に付与することが可能となる。
【００１３】
また、肘掛けの前部若しくは前方領域に打楽器の打面を配置した場合、肘掛けに肘を乗せたときに、打面上やその近傍に指先や手の平が位置することとなる。これにより、指先等によって何気なく打面を打撃させたり、意識することなく打面を叩かせたりする等、演奏動作を自然且つスムースに促すことが可能となる。
【００１４】
更に、座部の側方で上下方向に沿って打面を配置した場合には、肘掛けの外側で腕を垂れ下げたときに、打面やその近傍に指先や手の平が位置することとなり、これによっても、前述の効果を得られる他、よりリラックスした状態で打面の打撃を行うことが可能となる。
【００１５】
また、座部を移動させることで楽器から発音可能としたから、例えば、支持体にキャスターを設けた場合、着座しながら足で床面を蹴って座部を移動させることにより、楽器から音が発するようになり、日常での行動を演奏操作として演奏や発音を簡単且つ気軽に行うことが可能となる。
【発明を実施するための最良の形態】
【００１６】
以下、本発明の好ましい実施の形態について図面を参照しながら説明する。
【００１７】
［第１実施形態］
図１には、第１実施形態に係る椅子の概略斜視図が示され、図２には、その使用状態を示す概略斜視図が示されている。これらの図において、椅子１０は、水平方向に沿って位置する座部１１と、この座部１１の後部より起立する背もたれ１２と、座部１１及び背もたれ１２を所定の高さ位置に支持する支持体１３と、座部１１の上方における左右両側部にそれぞれ設けられた一対の肘掛け１５，１５と、各肘掛け１５，１５の前方にそれぞれ設けられた一対の楽器１６，１６とを備えて構成されている。
【００１８】
前記支持体１３は、座部１１の下方に設けられるとともに、平面視で前方を開放するコ字状をなす接地部１８と、この接地部１８の左右両側における前端に連設されて起立する一対の起立部１９，１９とを備えて構成されている。各起立部１９，１９の上下方向中間部は、座部１１の前部側にそれぞれ連結されており、これにより、支持体１３を介して座部１１が所定高さに支持されるようになっている。
【００１９】
前記肘掛け１５，１５は、起立部１９，１９の上端側に連設されて後方に延び、上面側で着座者の肘及び前腕部分を乗せることができるようになっている。各肘掛け１５，１５の後端側は、背もたれ１２の側部に連結されて支持されている。
【００２０】
前記楽器１６，１６は、上面に打面１６Ａが形成された打楽器により構成されている。楽器１６は、上下方向に向けられた中空筒状の胴部２２と、この胴部２２の上端側に設けられて前記打面１６Ａを形成する膜体２３とを備えている。各楽器１６，１６の胴部２２は、図示しない連結具等を介して前記起立部１９に支持され、これにより、肘掛け１５の前側に楽器１６が一体に設けられる。また、各楽器１６，１６の高さ位置は、打面１６Ａが肘掛け１５の上面と略面一となるように設定されている。
【００２１】
従って、このような第１実施形態によれば、図２に示されるように、座部１１に着座した着座者Ｐが肘掛け１５に肘を乗せたときに、手の近傍や手の平の下側に打面１６Ａが位置することとなる。これにより、着座者Ｐが打面１６Ａを意図することなく触れて当該打面１６Ａの感触を自然に付与できるばかりでなく、打面１６Ａの打撃も自然に行って楽器１６から音を生じさせることが可能となる。つまり、楽器１６により適宜なリズム等を演奏することを促進でき、当該演奏に興味を湧かせることが可能となる。しかも、椅子１０に座りつつ肘掛け１５に肘を乗せた楽な姿勢で演奏できるので、打撃するための特別な体勢をとることなく容易且つリラックスして演奏することができる。
【００２２】
［第２実施形態］
次に、本発明の第２実施形態について説明する。図３には、第２実施形態に係る椅子の概略斜視図が示され、図４には、その使用状態を示す概略斜視図が示されている。これらの図において、椅子３０は、平面視略方形の座部３１と、この座部３１の後部より起立する背もたれ３２と、座部３１の各コーナー側にそれぞれ連結されるとともに、座部３１及び背もたれ３２を所定の高さ位置に支持する支持体としての四本の脚部３３とを備えて構成されている。ここで、座部３１の図３中右側には、第１の打楽器３５が設けられている一方、座部３１の同図中左側には、肘掛け３６及び第２の打楽器３７が設けられている。
【００２３】
前記第１の打楽器３５は、横方向に向けられた中空筒状をなす胴部３９と、この胴部３９の座部３１と反対側に設けられた膜体４０とを備えている。胴部３９は、座部３１及び又は脚部３３に図示しない連結具等を介して支持され、その上部領域で着座者Ｐが肘を乗せる、つまり、第１の打楽器３５により肘掛けを形成するようになっている。膜体４０は、その表面で打面３５Ａを形成しており、当該打面３５Ａは、座部３１の側方で上下方向に沿う位置に配置されている。
【００２４】
前記肘掛け３６は、前記脚部３３及び背もたれ３２により支持されて前後に延びる形状を備えている。また、第２の打楽器３７は、肘掛け３６の前部に一体に設けられて当該肘掛け３６の一部を構成するようになっている。すなわち、第２の打楽器３７は、肘掛け３６の前部に連設されて上下に向けられた胴部４２と、この胴部４２の上側に設けられるとともに、肘掛け３６の上面と略同一面内で打面３７Ａを形成する膜体４３とを備えている。胴部４２は、肘掛け３６の厚みと略同一の厚みを備えている一方、肘掛け３６の外側にはみ出す左右幅を備えている。また、膜体４３は、胴部４２の上部だけに配置する他、肘掛け３６の外面側を覆うクロス材や皮革製の表装材を胴部４３上に延長することにより形成してもよい。
【００２５】
従って、このような第２実施形態によれば、第１実施形態と同様の効果が得られる他、第１及び第２の打楽器３５，３７によって肘掛けの上面領域を形成でき、構成部材の省略化を図りつつ斬新なデザイン性を発揮することが可能となる。また、図４に示されるように、第１の打楽器３５は、着座者Ｐが手をぶら下げたときに、当該手に面するように打面３５Ａが位置するので、これによっても、打面３５Ａを自然且つ楽に叩くことが可能となる。更に、第２の打楽器３７の打面３７Ａは、肘掛け３６より大きい左右幅となるので、テーブルのように利用することもできる。
【００２６】
［第３実施形態］
図５には、第３実施形態に係る椅子の概略側面図が示されている。この図において、椅子５０は、いわゆるロッキングチェアーを用いて構成されている。すなわち、椅子５０は、座部５１と、この座部５１の後部に位置する背もたれ５２と、座部５１及び背もたれ５２の図５中紙面直交方向両側にそれぞれ設けられた一対の肘掛け５３と、座部５１を所定高さに支持する支持体５５と、座部５１の下面側に連結された楽器としてのベル５６とを備えて構成されている。支持体５５は、前後方向中央部が膨出する弓状に設けられた接地部５５Ａを含み、これにより、着座者が前後に体を動かしたり、床面を蹴ったりすることで、座部５１を図５中矢印Ｒ方向に揺動できるようになっている。また、ベル５６は、座部５１の揺動によって内部に吊り下げられた玉部材５６Ａが揺動可能に設けられ、当該玉部材５６Ａとの衝突によって音が発するようになっている。
【００２７】
従って、このような第３実施形態によれば、着座者の動きによる座部５１の揺動を演奏操作としてベル５６から音を簡単に発することが可能となる。これにより、例えば、ベル５６の音階を変えた椅子５０を複数用意し、これらの椅子５０にそれぞれ着座させて発音させることにより、恰もハンドベルのような演奏を行うことが可能となる。
【００２８】
［第４実施形態］
図６には、第４実施形態に係る椅子の概略側面図が示されている。この図において、椅子６０は、本実施形態では、オフィスや学習机等に利用される椅子を用いて構成されている。すなわち、椅子６０は、座部６１と、この座部６１の後部に位置する背もたれ６２と、座部６１を所定高さに支持する支持体６３と、座部６１の下面側に連結された楽器としてのベル６５とを備えて構成されている。支持体６３は、複数のキャスター６６を下部に備えており、当該キャスター６６を介して座部６１を水平方向に沿って移動可能に設けられている。また、ベル６５は、前述のベル５６と同様に、座部６１の移動によって玉部材６５Ａが揺動可能に設けられ、当該玉部材６５Ａとの衝突によって音が発するようになっている。
【００２９】
従って、このような第４実施形態によれば、第３実施形態と同様の作用、効果を得ることが可能となる。
【００３０】
［第５実施形態］
図７及び図８には、第５実施形態に係る椅子の概略側面図がそれぞれ示されている。これらの図において、椅子７０は、座部７１と、この座部７１の後部に位置する背もたれ７２と、座部７１及び背もたれ７２の図７中紙面直交方向両側にそれぞれ設けられた一対の肘掛け７３と、座部７１及び背もたれ７２を所定の高さ位置に支持する支持体としての四本の脚部７５とを備えて構成されている。肘掛け７３は、前後の脚部７５，７５の上端側を連結する連結部７６と、この連結部７６の上部に設けられて前後に延びるベース７７と、このベース７７の上部に重なる位置に設けられて肘掛け７３の上面領域を形成するとともに、ベース７７に対して前後にスライド移動可能に設けられたスライダ７８とを備えている。ベース７７の上面側は、前後に並ぶ複数の刻み目を備えた波板状に形成されている一方、スライダ７８の下面側には突起７９が設けられている。従って、スライダ７８を前後にスライド移動させたときに、ベース７７上で突起７９が擦れ、ギロと同様の原理によって発音する楽器を構成するようになっている。
【００３１】
従って、このような第５実施形態によれば、図７及び図８に示されるように、着座者Ｐがスライダ７８を手で掴みながら前後にスライド移動させることができる。このとき、腕を前に伸ばしたり上半身を前に倒したりする運動をできるとともに、音を発して演奏を気軽に行うことが可能となる。
【００３２】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３３】
例えば、前記各実施形態における楽器は、種々の変更が可能であり、例えば、膜鳴楽器、体鳴楽器等からなる打楽器や気鳴楽器、弦楽器、管楽器等のいわゆるアコースティックタイプの楽器や、所定の音源を介して音を発する電子楽器、増幅器やスピーカを介して音を発する電気楽器とすることが例示できる。
具体的には、第３及び第４実施形態において、ベル５６，６５に代えて角度センサや移動センサを有する電子楽器を設け、移動速度や角度に応じて音量や発音のテンポを変えるようにしてもよい。
また、脚部をテレスコピック構造等とし、着座者の重心移動により座部を移動させて脚部を伸縮させることにより、脚部内部の空気流通を利用して笛のように発音させてもよい。
更に、第３実施形態において、座部５１や背もたれ５２に管状体を設けるとともに、当該管状体内に座部５１の揺動に伴って移動する移動体を設け、この移動体によって管状体の両側で流れる空気を介して笛のように発音させてもよい。
また、ハープやギターの胴部のように肘掛けを構成し、その外側に弦を張設することで、当該弦を着座者により弾奏できるようにしてもよい。
更に、座部及び支持体を中空状の箱体等により形成し、当該箱体を着座者が手や踵で叩くことにより、音を発するようにすることも考えられる。
【００３４】
また、椅子の構成も種々の変更が可能であり、ベンチやソファ等のように、背もたれを省略したり、左右の何れか一方の肘掛けを省略したりしてもよい。
【図面の簡単な説明】
【００３５】
【図１】第１実施形態に係る椅子の概略斜視図。
【図２】図１の使用状態を示す説明図。
【図３】第２実施形態に係る椅子の概略斜視図。
【図４】図３の使用状態を示す説明図。
【図５】第３実施形態に係る椅子の概略側面図。
【図６】第４実施形態に係る椅子の概略側面図。
【図７】第５実施形態に係る椅子の使用状態を示す概略側面図。
【図８】図７の状態からスライダを初期位置に復帰させた状態の概略側面図。
【符号の説明】
【００３６】
１０，３０，５０，６０，７０・・・椅子、１１，３１，５１，６１，７１・・・座部、１５，３６，７３・・・肘掛け、１６・・・楽器、１６Ａ・・・打面、３５・・・第１の打楽器、３５Ａ・・・打面、３７・・・第２の打楽器、３７Ａ・・・打面、５５，６３・・・支持体、５６，６５・・・ベル（楽器）、Ｐ・・・着座者
【図１】
2007037623.tif 000003
【図２】
2007037623.tif 000004
【図３】
2007037623.tif 000005
【図４】
2007037623.tif 000006
【図５】
2007037623.tif 000007
【図６】
2007037623.tif 000008
【図７】
2007037623.tif 000009
【図８】
2007037623.tif 000010